(57)【特許請求の範囲】
【請求項１】
対象を場所又は第２の対象に自動的に関連付けるためのシステムであって、
対象を識別するデータを提供するために前記対象にリンクされた対象識別装置と、
前記対象の位置を決定するように構成された位置決定モジュールであって、
前記データに少なくとも部分的に基づいて前記対象の前記位置を決定するための対象位置特定モジュールと、
前記対象を少なくとも１つの第２の対象および場所の両方に関連付けるための対象関連付けモジュールであって、前記対象が閾時間以上の期間にわたって前記第２の対象又は前記場所の近くにあるかどうかを前記対象の前記位置に基づいて決定するように構成され、もし前記対象が前記第２の対象又は前記場所の近くにある前記期間が前記閾時間以上である場合に、前記対象と前記第２の対象又は前記場所との間に関連付けを作成するように構成され、前記閾時間は追跡されている前記対象のタイプ及びそれが関連付けられる前記場所に依存して設定される、対象関連付けモジュールと、
を含む位置決定モジュールと、
対象と場所との間の関連付けを識別する関連付けテンプレートであって、観測された関連付けと前記関連付けテンプレートの中の関連付けとが一致するか否かを判断するために使用される関連付けテンプレートと、を備え、
前記対象関連付けモジュールは、前記観測された関連付けが前記関連付けテンプレート内に挙げられている場合は、前記関連付けに対して予め定められた事象を開始するための指示がネットワークにブロードキャストし、
前記対象関連付けモジュールは、さらに、第１の場所と、第２の場所と、前記第１の場所での経過時間と、前記第２の場所での経過時間とを含む偽の関連付けを回避するように構成され、前記第１の場所での経過時間が偽の関連付け閾時間以上であり、前記第２の場所での経過時間が前記偽の関連付け閾時間より小さい場合、前記第２の場所との関連付けは回避され、前記第１の場所との関連付けが作成されて偽の関連付けの決定は回避され、
前記関連付けの決定は、入力装置のトリガーなしで確立される、システム。
【請求項２】
請求項１に記載のシステムであって、
前記対象識別装置は、
前記対象を識別する前記データを含む信号を伝送するように構成されたトランスミッタ、
前記対象を識別する前記データを要求する信号を受信するように構成されたレシーバ、並びに
前記対象識別装置の前記トランスミッタ及び前記レシーバを制御するためのプロセッサ、
のうちの１つ又は２つ以上を含むシステム。
【請求項３】
請求項１に記載のシステムであって、
前記対象を識別する前記データは、一意識別子を含むシステム。
【請求項４】
請求項１に記載のシステムであって、
前記対象を識別する前記データは、前記対象識別装置上のバーコードに提供される、又は前記対象識別装置上に磁気的にエンコーディングされるシステム。
【請求項５】
請求項１に記載のシステムであって、
前記位置決定モジュールは、電子デバイスの一部であるシステム。
【請求項６】
請求項１に記載のシステムであって、
前記位置決定モジュールは、更に、
前記対象を識別する前記データを提供する前記対象識別装置からの信号を受信するためのレシーバ、及び
前記対象を識別するデータを求める要求を伝送するためのトランスミッタ、
のうちの、１つ又は２つ以上を含むシステム。
【請求項７】
請求項１に記載のシステムであって、更に、
前記位置決定モジュールを接続されたネットワークと、
信号の伝送又は受信が可能な少なくとも１つのシグナリングコンポーネントを含むネットワーク接続要素であって、前記対象識別装置によって提供される前記対象を識別する前記データを受信して、前記データを含む信号を前記位置決定モジュールに伝送するように構成されたネットワーク接続要素と、
を備えるシステム。
【請求項８】
請求項７に記載のシステムであって、
前記対象識別装置は、パッシブＲＦＩＤデバイスであり、前記ネットワーク接続要素は、パッシブＲＦＩＤリーダであるシステム。
【請求項９】
請求項７に記載のシステムであって、
前記対象識別装置は、バーコードであり、前記ネットワーク接続要素は、バーコードリーダであるシステム。
【請求項１０】
請求項１に記載のシステムであって、
前記位置決定モジュールは、前記対象識別装置に直接的に結合されるシステム。
【請求項１１】
請求項１に記載のシステムであって、更に、
対象の関連付けを格納するためのストレージデバイスを備えるシステム。
【請求項１２】
請求項１に記載のシステムであって、更に、
トポロジデータを格納するためのトポロジストレージデバイスを備えるシステム。
【請求項１３】
請求項１に記載のシステムであって、更に、
前記対象識別装置とは別個で異なる、既知の位置を有する固定位置識別要素を備えるシステム。
【請求項１４】
請求項１３に記載のシステムであって、
前記固定位置識別要素は、前記対象識別装置からの伝送を受信するための少なくとも１つの受信コンポーネントと、信号を伝送するための少なくとも１つの伝送コンポーネントとを含むシステム。
【請求項１５】
請求項１４に記載のシステムであって、更に、
前記位置決定モジュールを接続されたネットワークと、
信号の伝送又は受信が可能な少なくとも１つのシグナリングコンポーネントを含むネットワーク接続要素であって、前記対象識別装置によって提供される前記対象を識別する前記データを受信して、前記データを含む信号を前記位置決定モジュールに伝送するように構成されたネットワーク接続要素と、
を備え、前記固定位置識別要素は、前記信号を前記ネットワーク接続要素に伝送し、前記ネットワーク接続要素は、前記固定位置識別要素からの前記信号を前記位置決定モジュールに送信される信号に組み入れ、
前記位置決定モジュールは、前記対象識別装置の位置の計算に、前記固定位置識別要素の前記既知の位置を使用するシステム。
【請求項１６】
請求項１に記載のシステムであって、
対象識別装置は、医療施設内に位置しているシステム。
【請求項１７】
請求項１６に記載のシステムであって、
前記場所は、前記医療施設内の部屋を含むシステム。
【請求項１８】
請求項１に記載のシステムであって、
関連付けを決定するための前記期間は、前記対象識別装置をリンクされた対象のタイプに依存するシステム。
【請求項１９】
請求項１に記載のシステムであって、
関連付けを決定するための前記期間は、前記対象識別装置の前記位置又は場所に依存するシステム。
【請求項２０】
請求項１に記載のシステムであって、
関連付けを決定するための前記期間は、前記対象識別装置を関連付けられている前記第２の対象又は場所に依存するシステム。
【請求項２１】
対象を場所又は第２の対象に関連付けるための方法であって、
対象識別装置を、前記対象または前記場所と物理的にリンクすることと、
前記対象または前記場所にリンクされた前記対象識別装置上に、前記対象を識別するデータを提供することと、
対象位置特定モジュール演算装置において、前記対象を識別する前記データに少なくとも部分的に基づいて前記対象の位置を決定することと、
対象関連付けモジュール演算装置において、前記対象の前記位置、及び前記対象が閾時間以上の期間にわたって第２の対象又は場所の近くにあるかどうかに基づいて、前記対象と前記第２の対象又は前記場所との間に関連付けを作成し、前記閾時間は追跡されている前記対象のタイプ及びそれが関連付けられる前記場所に依存して設定される、ことと、
前記関連付けモジュール演算装置において、第１の場所と、第２の場所と、前記第１の場所での経過時間と、前記第２の場所での経過時間とを含む偽の関連付けを回避することと、を備え、前記第１の場所での経過時間が偽の関連付け閾時間以上であり、前記第２の場所での経過時間が前記偽の関連付け閾時間より小さい場合、前記第２の場所との関連付けは回避され、前記第１の場所との関連付けが作成されて偽の関連付けの決定が回避され、
対象と場所との間の関連付けを識別する関連付けテンプレートを使用して、観測された関連付けと前記関連付けテンプレートの中の関連付けとが一致するか否かを判断し、前記観測された関連付けが前記関連付けテンプレート内に挙げられている場合は、前記関連付けに対して予め定められた事象を開始するための指示をネットワークにブロードキャストし、
前記関連付けの決定は、入力装置のトリガーなしで確立される、方法。
【請求項２２】
請求項２１に記載の方法であって、
前記対象識別装置は、
前記対象を識別する前記データを含む信号を伝送するように構成されたトランスミッタ、
前記対象を識別する前記データを要求する信号を受信するように構成されたレシーバ、並びに
前記対象識別装置の前記トランスミッタ及び前記レシーバを制御するためのプロセッサ、
のうちの、１つ又は２つ以上を含む、方法。
【請求項２３】
請求項２１に記載の方法であって、
前記対象を識別する前記データは、一意識別子を含む、方法。
【請求項２４】
請求項２１に記載の方法であって、
前記対象を識別する前記データは、前記対象識別装置上のバーコードに提供される、又は前記対象識別装置上に磁気的にエンコーディングされる、方法。
【請求項２５】
請求項２１に記載の方法であって、
前記対象位置特定モジュール及び前記対象関連付けモジュールは、位置決定モジュールの一部である、方法。
【請求項２６】
請求項２５に記載の方法であって、
前記位置決定モジュールは、更に、
前記対象を識別する前記データを提供する前記対象識別装置からの信号を受信するためのレシーバ、及び
前記対象を識別するデータを求める要求を伝送するためのトランスミッタ、
のうちの、１つ又は２つ以上を含む、方法。
【請求項２７】
請求項２５に記載の方法であって、
前記位置決定モジュールは、ネットワークに接続され、
前記方法は、更に、
ネットワーク接続要素において、前記対象識別装置によって提供される前記データを受信することと、
前記ネットワーク接続要素から、前記データを含む信号を伝送することと、
前記位置決定モジュールにおいて、前記ネットワーク接続要素からの前記信号を受信することと、
を含む方法。
【請求項２８】
請求項２７に記載の方法であって、
前記対象識別装置は、パッシブＲＦＩＤデバイスであり、前記ネットワーク接続要素は、パッシブＲＦＩＤリーダである、方法。
【請求項２９】
請求項２７記載の方法であって、
前記対象識別装置は、バーコードであり、前記ネットワーク接続要素は、バーコードリーダである、方法。
【請求項３０】
請求項２１に記載の方法であって、
前記位置決定モジュールは、前記対象識別装置に直接的に結合される、方法。
【請求項３１】
請求項２１に記載の方法であって、更に、
前記対象の関連付けをストレージデバイス格納することを備える方法。
【請求項３２】
請求項２１に記載の方法であって、更に、
固定位置識別要素において、前記対象識別装置によって提供される前記データを受信することと、
前記固定位置識別要素から、前記データを含む信号を伝送することと、
前記対象位置特定モジュールにおいて、前記固定位置識別要素からの前記信号を受信することと、
を備える方法。
【請求項３３】
請求項２１に記載の方法であって、
対象識別装置は、医療施設内に位置している、方法。
【請求項３４】
請求項２１に記載の方法であって、
前記場所は、前記医療施設内の部屋を含む、方法。
【請求項３５】
請求項２１に記載の方法であって、
関連付けを決定するための前記期間は、前記対象識別装置をリンクされた対象のタイプに依存する、方法。
【請求項３６】
請求項２１に記載の方法であって、
関連付けを決定するための前記期間は、前記対象識別装置の前記位置又は場所に依存する、方法。
【請求項３７】
請求項２１に記載の方法であって、
関連付けを決定するための前記期間は、前記対象識別装置を関連付けられている前記第２の対象又は場所に依存する、方法。
【発明の詳細な説明】
【技術分野】
【０００１】
［関連出願］
本出願は、２００６年８月２９日付けで米国特許第７，０９９，８９５号として発行された米国特許出願第１０／０９６，１８７号の継続特許出願である米国特許出願第１１／５０３，６５１号に関連した、２００８年２月１日に出願された米国特許出願第１２／０２４，７１１号の優先権を主張する。上記の出願及び特許の内容は、参照により本明細書に組み込まれる。
【０００２】
本発明の例示的実施形態は、全体として、位置追跡システムに関し、特に、位置追跡システムを使用して相互作用時間に基づいて対象、人、及び位置の関連付けを実施することに関する。
【背景技術】
【０００３】
人又は対象がその他の人又は対象と相互作用する又は関連を持つことにかける時間の長さを自動的に且つ正確に追跡する必要がある。この関連付け情報は、会計目的のために、従業員の雇用のために、顧客に対して支払い請求するために、又は所定の対象に対して若しくは所定の人によって「費やされる作業」の記録を取るために使用されてよい。或いは、情報は、在庫の記録、機器利用の調査、事象の誘発、及び類似の用途に使用されてよい。あいにく、今日の対象関連付けシステムの正確さは、不十分である。従来の対象関連付けシステムは、デバイスが相互作用にかける時間の長さを捉えるために、推定を必要とする。例えば、高価な医療機器が検査中に使用された時間の長さを推定することが、極めて普通である。医療機器は、運転された時間に対応して年間何百万ドルもの支払い請求を生じる可能性があるので、運転時間の推定における僅かな不正確さは、支払人及び受取人の双方に大きく影響する。したがって、医療保険会社にとっては、特定の機器の使用の厳密な時間の記録を要求することが、いっそう普通になっている。この要求は、人間による監視を必要とするので、プロセスは、医療スタッフにとって過度な負担になる。
【０００４】
従来の対象関連付けシステムを人間によって開始させる必要性は、システムにとっての大きな課題である。主として、タイマを開始及び停止させるため、又は時間を記録するためなどの、この手動の相互作用の必要性は、読み取りを不正確にし、不正に陥りやすくする。人によっては、とりわけ実施すべき任務が複数あるときなどに、単純に、タイマを開始若しくは停止させることを忘れたり、又は、物事を簡単にしておくために、時間を推定してすませたりする。小休憩をとるときは、タイマを停止させないことが大半であり、これは、更に、読み取りを不正確にする。場合によっては、人は、時間追跡システムを不正に開始又は停止させることがあり、その結果、支払い請求を不正確にする。また、タイマとのインターフェースを持たない対象は、自身でタイマを開始させることができないので、対象が相互作用にかける時間を正確に追跡することは困難である。通常は、人が何らかのかたちで関与している必要がある。あいにく、従来の関連付けシステムは、人間による介在なしに自動的に関連付けを決定する及びその記録を取るようにはデザインされていない。
【０００５】
また、従来の対象関連付けシステムは、順次的であれ同時的であれ、複数の任務を追跡することができない。「タイムクロック」タイプのシステムにおいて、もし追跡されるべき対象又は任務が複数ある場合は、複数のタイマが使用されるのが通常である。これらのタイマは、２つのデバイスの相互作用の開始を人間のオペレータが通知したときに追跡を行うことができるが、問題は、他のデバイスと相互作用するデバイスが複数ある場合に記録が急激に困難になることである。従来の無線テザリングシステムは、２つのデバイスが互いに接近しているときに通知することに限られる。これらは、開始及び停止がかかわる複数の対象相互作用を扱う能力は備えていないのが通常である。位置特定システムの解決策は、単純に、複数のデバイスが同じ空間内にあることは示す。これらの解決策は、相互作用を詳細に決定することが難しいゆえに、どの対象が別の対象と相互作用しているのかも、これらの相互作用がいつ生じるかも示さない。また、現在のシステムの大半は、生産中の未完成品（ＷＩＰ）の進行具合、並びにそれが各種の器具及び人との相互作用にかける時間を追跡するように、対象相互作用を自動的に且つ継続的に追跡してその情報を関係者に「リアルタイム」で使用可能にするための能力を持たない。対象関連付けデータをリアルタイムでチェックするこの能力を持たないと、管理者又はシステムは、生産フローにおいて問題を素早く認識することが困難である。
【０００６】
位置特定システムが使用される病院などの現場は、大きくて複雑であると考えられる。これは、病院などの現場内におけるリソースの追跡を複雑な作業にする恐れがある。このような場合は、現場を複数の関心場所に細分することが有用であろう。本明細書において使用される場所という用語は、関心を持たれている任意のエリア、現場、位置、又は点を含むことを意図している。例えば、病院は、病室、緊急治療室、手術室、集中治療室、隔離室、実験室、機器室などの、幾つかのタイプの特殊目的の部屋を有する。これらの各部屋は、病院内の場所を構成することができる。実際、このような場所は、通常、病院が主に機能している位置の細かさのレベルである。例えば、患者は部屋に割り当てられ、試料は実験室に送られ、医師は手術室の使用の予定を組む。このような場所に対象又は人を関連付けることは、リソースの追跡に便利な細かさのレベルを提供するとともに、計算された対象又は人の位置についてのコンテクストを提供する。例えば、医師が手術室にいることを知ることは、医師が座標Ｘ，Ｙ，Ｚにいることを知るよりも、より有用であろう。
【０００７】
多くの場合、ある対象と別の対象との間の相互作用は、非論理的であると考えられる。例えば、医師は、ある患者のすぐ近くを、別の患者を治療する途中で通過する可能性がある。もし関連付けの基準が近さのみに基づく場合は、このような近くの通過は、たとえ医師が患者と実際の相互作用を持たなかった場合でも、医師と患者との間の関連付けとして決定される恐れがある。同様に、位置の決定に使用されるハードウェアの制約は、対象又は人の位置を僅かに変化させる、又は一貫性のない位置を示す恐れがある。例えば、医師は、部屋などの第１の場所におり、その第１の場所は、別の部屋などの第２の場所にすぐ隣接していることがある。もし医師が、第２の部屋に隣接する第１の部屋の壁を背にして立っている場合は、計算された医師の位置は、たとえ医師が実際に部屋を変わったことがなくても、医師が突然第２の部屋に移り、次いで第１の部屋に戻ったことを示す可能性がある。これらのいずれの例においても、医師と患者又は場所との相互作用は、実際の相互作用が生じるには簡単すぎたので、医師と患者又は場所との間には、関連付けが形成されないことが望ましい。
【発明の概要】
【０００８】
したがって、追跡されている対象又は人と、別の対象若しくは人、位置、又は場所との間の関連付けを、相互作用の時間、及び別の対象、位置、又は場所に対する対象の近さに基づいて決定することができると有利であろう。
本発明の第１の形態は、対象を場所又は第２の対象に自動的に関連付けるためのシステムであって、
対象を識別するデータを提供するために前記対象にリンクされた対象識別装置と、
前記対象の位置を決定するように構成された位置決定モジュールであって、
前記データに少なくとも部分的に基づいて前記対象の前記位置を決定するための対象位置特定モジュールと、
前記対象を少なくとも１つの第２の対象および場所の両方に関連付けるための対象関連付けモジュールであって、前記対象が閾時間以上の期間にわたって前記第２の対象又は前記場所の近くにあるかどうかを前記対象の前記位置に基づいて決定するように構成され、もし前記対象が前記第２の対象又は前記場所の近くにある前記期間が前記閾時間以上である場合に、前記対象と前記第２の対象又は前記場所との間に関連付けを作成するように構成され、前記閾時間は追跡されている前記対象のタイプ及びそれが関連付けられる前記場所に依存して設定される、対象関連付けモジュールと、
を含む位置決定モジュールと、
対象と場所との間の関連付けを識別する関連付けテンプレートであって、観測された関連付けと前記関連付けテンプレートの中の関連付けとが一致するか否かを判断するために使用される関連付けテンプレートと、を備え、
前記対象関連付けモジュールは、前記観測された関連付けが前記関連付けテンプレート内に挙げられている場合は、前記関連付けに対して予め定められた事象を開始するための指示がネットワークにブロードキャストし、
前記対象関連付けモジュールは、さらに、第１の場所と、第２の場所と、前記第１の場所での経過時間と、前記第２の場所での経過時間とを含む偽の関連付けを回避するように構成され、前記第１の場所での経過時間が偽の関連付け閾時間以上であり、前記第２の場所での経過時間が前記偽の関連付け閾時間より小さい場合、前記第２の場所との関連付けは回避され、前記第１の場所との関連付けが作成されて偽の関連付けの決定は回避され、
前記関連付けの決定は、入力装置のトリガーなしで確立される、システムである。
本発明の第２の形態は、対象を場所又は第２の対象に関連付けるための方法であって、
対象識別装置を、前記対象または前記場所と物理的にリンクすることと、
前記対象または前記場所にリンクされた前記対象識別装置上に、前記対象を識別するデータを提供することと、
対象位置特定モジュール演算装置において、前記対象を識別する前記データに少なくとも部分的に基づいて前記対象の位置を決定することと、
対象関連付けモジュール演算装置において、前記対象の前記位置、及び前記対象が閾時間以上の期間にわたって第２の対象又は場所の近くにあるかどうかに基づいて、前記対象と前記第２の対象又は前記場所との間に関連付けを作成し、前記閾時間は追跡されている前記対象のタイプ及びそれが関連付けられる前記場所に依存して設定される、ことと、
前記関連付けモジュール演算装置において、第１の場所と、第２の場所と、前記第１の場所での経過時間と、前記第２の場所での経過時間とを含む偽の関連付けを回避することと、を備え、前記第１の場所での経過時間が偽の関連付け閾時間以上であり、前記第２の場所での経過時間が前記偽の関連付け閾時間より小さい場合、前記第２の場所との関連付けは回避され、前記第１の場所との関連付けが作成されて偽の関連付けの決定が回避され、
対象と場所との間の関連付けを識別する関連付けテンプレートを使用して、観測された関連付けと前記関連付けテンプレートの中の関連付けとが一致するか否かを判断し、前記観測された関連付けが前記関連付けテンプレート内に挙げられている場合は、前記関連付けに対して予め定められた事象を開始するための指示をネットワークにブロードキャストし、
前記関連付けの決定は、入力装置のトリガーなしで確立される、方法である。
【０００９】
一実施形態にしたがって、対象を場所又は第２の対象に関連付けるためのシステムが提供される。システムは、対象識別要素と、位置決定モジュールとを含む。対象識別要素は、対象にリンクされ、その対象を識別するデータを提供する。位置決定モジュールは、対象の位置を決定し、対象位置特定モジュールと、対象関連付けモジュールとを含む。対象位置特定モジュールは、上記データに少なくとも部分的に基づいて、対象の位置を決定する。対象関連付けモジュールは、対象を第２の対象又は場所に関連付ける。対象関連付けモジュールは、対象の位置に基づいて、対象が閾時間以上の期間にわたって第２の対象又は場所の近くにあるかどうかを決定するように構成される。もし対象が第２の対象又は場所の近くにある期間が閾時間以上である場合は、対象関連付けモジュールは、対象と、第２の対象又は場所との間に関連付けを形成するように構成される。
【００１０】
別の実施形態にしたがって、対象を場所又は第２の対象に関連付けるための方法が提供される。方法は、対象にリンクされた対象識別要素上に、その対象を識別するデータを提供することを含む。対象位置特定モジュールは、次いで、対象を識別する提供されたデータに少なくとも部分的に基づいて、対象の位置を決定してよい。対象関連付けモジュールは、次いで、対象の位置、及び対象が閾時間以上の期間にわたって第２の対象又は場所の近くにあるかどうかに基づいて、対象と、第２の対象又は場所との間に関連付けを形成してよい。
本発明は、以下の適用例としても実現可能である。
［適用例１］
対象を場所又は第２の対象に関連付けるためのシステムであって、
対象を識別するデータを提供するために前記対象にリンクされた対象識別要素と、
前記対象の位置を決定するように構成された位置決定モジュールと
を備え、
前記位置決定モジュールは、
前記データに少なくとも部分的に基づいて前記対象の前記位置を決定するための対象位置特定モジュールと、
前記対象を第２の対象又は場所に関連付けるための対象関連付けモジュールであって、前記対象が閾時間以上の期間にわたって前記第２の対象又は前記場所の近くにあるかどうかを前記対象の前記位置に基づいて決定するように構成され、もし前記対象が前記第２の対象又は前記場所の近くにある前記期間が前記閾時間以上である場合に、前記対象と前記第２の対象又は前記場所との間に関連付けを作成するように構成される対象関連付けモジュールと、
を含むシステム。
［適用例２］
適用例１に記載のシステムであって、
前記対象識別要素は、
前記対象を識別する前記データを含む信号を伝送するように構成されたトランスミッタ、
前記対象を識別する前記データを要求する信号を受信するように構成されたレシーバ、並びに
前記対象識別要素の前記トランスミッタ及び前記レシーバを制御するためのプロセッサ、
のうちの１つ又は２つ以上を含むシステム。
［適用例３］
適用例１に記載のシステムであって、
前記対象を識別する前記データは、一意識別子を含むシステム。
［適用例４］
適用例１に記載のシステムであって、
前記対象を識別する前記データは、前記対象識別要素上のバーコードに提供される、又は前記対象識別要素上に磁気的にエンコーディングされるシステム。
［適用例５］
適用例１に記載のシステムであって、
前記位置決定モジュールは、電子デバイスの一部であるシステム。
［適用例６］
適用例１に記載のシステムであって、
前記位置決定モジュールは、更に、
前記対象を識別する前記データを提供する前記対象識別要素からの信号を受信するためのレシーバ、及び
前記対象を識別するデータを求める要求を伝送するためのトランスミッタ、
のうちの、１つ又は２つ以上を含むシステム。
［適用例７］
適用例１に記載のシステムであって、更に、
前記位置決定モジュールを接続されたネットワークと、
信号の伝送又は受信が可能な少なくとも１つのシグナリングコンポーネントを含むネットワーク接続要素であって、前記対象識別要素によって提供される前記対象を識別する前記データを受信して、前記データを含む信号を前記位置決定モジュールに伝送するように構成されたネットワーク接続要素と、
を備えるシステム。
［適用例８］
適用例７に記載のシステムであって、
前記対象識別要素は、パッシブＲＦＩＤデバイスであり、前記ネットワーク接続要素は、パッシブＲＦＩＤリーダであるシステム。
［適用例９］
適用例７に記載のシステムであって、
前記対象識別要素は、バーコードであり、前記ネットワーク接続要素は、バーコードリーダであるシステム。
［適用例１０］
適用例１に記載のシステムであって、
前記位置決定モジュールは、前記対象識別要素に直接的に結合されるシステム。
［適用例１１］
適用例１に記載のシステムであって、更に、
対象の関連付けを格納するためのストレージデバイスを備えるシステム。
［適用例１２］
適用例１に記載のシステムであって、更に、
トポロジデータを格納するためのトポロジストレージデバイスを備えるシステム。
［適用例１３］
適用例１に記載のシステムであって、更に、
前記対象識別要素とは別個で異なる、既知の位置を有する固定位置識別要素を備えるシステム。
［適用例１４］
適用例１３に記載のシステムであって、
前記固定位置識別要素は、前記対象識別要素からの伝送を受信するための少なくとも１つの受信コンポーネントと、信号を伝送するための少なくとも１つの伝送コンポーネントとを含むシステム。
［適用例１５］
適用例１４に記載のシステムであって、更に、
前記位置決定モジュールを接続されたネットワークと、
信号の伝送又は受信が可能な少なくとも１つのシグナリングコンポーネントを含むネットワーク接続要素であって、前記対象識別要素によって提供される前記対象を識別する前記データを受信して、前記データを含む信号を前記位置決定モジュールに伝送するように構成されたネットワーク接続要素と、
を備え、前記固定位置識別要素は、前記信号を前記ネットワーク接続要素に伝送し、前記ネットワーク接続要素は、前記固定位置識別要素からの前記信号を前記位置決定モジュールに送信される信号に組み入れ、
前記位置決定モジュールは、前記対象識別要素の位置の計算に、前記固定位置識別要素の前記既知の位置を使用するシステム。
［適用例１６］
適用例１に記載のシステムであって、
対象識別要素は、医療施設内に位置しているシステム。
［適用例１７］
適用例１６に記載のシステムであって、
前記場所は、前記医療施設内の部屋を含むシステム。
［適用例１８］
適用例１に記載のシステムであって、
関連付けを決定するための前記期間は、前記対象識別要素をリンクされた対象のタイプに依存するシステム。
［適用例１９］
適用例１に記載のシステムであって、
関連付けを決定するための前記期間は、前記対象識別要素の前記位置又は場所に依存するシステム。
［適用例２０］
適用例１に記載のシステムであって、
関連付けを決定するための前記期間は、前記対象識別要素を関連付けられている前記第２の対象又は場所に依存するシステム。
［適用例２１］
対象を場所又は第２の対象に関連付けるための方法であって、
対象にリンクされた対象識別要素上に、前記対象を識別するデータを提供することと、
対象位置特定モジュールにおいて、前記対象を識別する前記データに少なくとも部分的に基づいて前記対象の位置を決定することと、
対象関連付けモジュールにおいて、前記対象の前記位置、及び前記対象が閾時間以上の期間にわたって第２の対象又は場所の近くにあるかどうかに基づいて、前記対象と前記第２の対象又は前記場所との間に関連付けを作成することと、
を備える方法。
［適用例２２］
適用例２１に記載の方法であって、
前記対象識別要素は、
前記対象を識別する前記データを含む信号を伝送するように構成されたトランスミッタ、
前記対象を識別する前記データを要求する信号を受信するように構成されたレシーバ、並びに
前記対象識別要素の前記トランスミッタ及び前記レシーバを制御するためのプロセッサ、
のうちの、１つ又は２つ以上を含む、方法。
［適用例２３］
適用例２１に記載の方法であって、
前記対象を識別する前記データは、一意識別子を含む、方法。
［適用例２４］
適用例２１に記載の方法であって、
前記対象を識別する前記データは、前記対象識別要素上のバーコードに提供される、又は前記対象識別要素上に磁気的にエンコーディングされる、方法。
［適用例２５］
適用例２１に記載の方法であって、
前記対象位置特定モジュール及び前記対象関連付けモジュールは、位置決定モジュールの一部である、方法。
［適用例２６］
適用例２５に記載の方法であって、
前記位置決定モジュールは、更に、
前記対象を識別する前記データを提供する前記対象識別要素からの信号を受信するためのレシーバ、及び
前記対象を識別するデータを求める要求を伝送するためのトランスミッタ、
のうちの、１つ又は２つ以上を含む、方法。
［適用例２７］
適用例２５に記載のシステムであって、
前記位置決定モジュールは、ネットワークに接続され、
前記方法は、更に、
ネットワーク接続要素において、前記対象識別要素によって提供される前記データを受信することと、
前記ネットワーク接続要素から、前記データを含む信号を伝送することと、
前記位置決定モジュールにおいて、前記ネットワーク接続要素からの前記信号を受信することと、
を含むシステム。
［適用例２８］
適用例２７に記載の方法であって、
前記対象識別要素は、パッシブＲＦＩＤデバイスであり、前記ネットワーク接続要素は、パッシブＲＦＩＤリーダである、方法。
［適用例２９］
適用例２７記載の方法であって、
前記対象識別要素は、バーコードであり、前記ネットワーク接続要素は、バーコードリーダである、方法。
［適用例３０］
適用例２１に記載の方法であって、
前記位置決定モジュールは、前記対象識別要素に直接的に結合される、方法。
［適用例３１］
適用例２１に記載の方法であって、更に、
前記対象の関連付けをストレージデバイス格納することを備える方法。
［適用例３２］
適用例２１に記載の方法であって、更に、
固定位置識別要素において、前記対象識別要素によって提供される前記データを受信することと、
前記固定位置識別要素から、前記データを含む信号を伝送することと、
前記対象位置特定モジュールにおいて、前記固定位置識別要素からの前記信号を受信することと、
を備える方法。
［適用例３３］
適用例２１に記載の方法であって、
対象識別要素は、医療施設内に位置している、方法。
［適用例３４］
適用例２１に記載の方法であって、
前記場所は、前記医療施設内の部屋を含む、方法。
［適用例３５］
適用例２１に記載の方法であって、
関連付けを決定するための前記期間は、前記対象識別要素をリンクされた対象のタイプに依存する、方法。
［適用例３６］
適用例２１に記載の方法であって、
関連付けを決定するための前記期間は、前記対象識別要素の前記位置又は場所に依存する、方法。
［適用例３７］
適用例２１に記載の方法であって、
関連付けを決定するための前記期間は、前記対象識別要素を関連付けられている前記第２の対象又は場所に依存する、方法。
【図面の簡単な説明】
【００１１】
【図１】例示的実施形態を実施するのに適した環境のブロック図である。
【図２】別の例示的実施形態を実施するのに適した環境のブロック図である。
【図３】ネットワークを用いない本発明の例示的実施形態を実施するのに適した別の環境のブロック図である。
【図４Ａ】図１の例示的実施形態によって使用される対象識別要素のブロック図である。
【図４Ｂ】図１の例示的実施形態によって使用される固定位置識別要素のブロック図である。
【図４Ｃ】図２の例示的実施形態によって使用される対象識別要素のブロック図である。
【図４Ｄ】図２の例示的実施形態によって使用される固定位置識別要素のブロック図である。
【図５】本発明の例示的実施形態を実施する病院の配置のブロック図である。
【図６】位置決定モジュールによって決定される関連付けを解析するために使用される本発明の例示的実施形態のコンポーネントのブロック図である。
【図７】本発明の例示的実施形態によって決定される対象の関連付けの結果として機器利用解析及び支払い請求生成を実施するために本発明の例示的実施形態によってたどられるステップの順序のフローチャートである。
【図８】本発明の例示的実施形態によって決定される対象の関連付けの結果として事象開始を実施するために本発明の例示的実施形態によってたどられるステップの順序のフローチャートである。
【図９】対象の関連付けを実施するために本発明の例示的実施形態によってたどられるステップの順序のフローチャートである。
【発明を実施するための形態】
【００１２】
本発明の例示的実施形態は、位置特定システムを使用して関連付けを追跡、計算、又は決定する方法を提供する。対象の位置は、対象にリンクされた対象識別要素から伝送され位置決定デバイスに転送される信号に基づいて決定される。本明細書において使用されるリンクという用語は、対象識別要素が対象に直接的に又は間接的に任意の適切な方式で関連付けられる、結合される、接続される、又は添付されることを意味することを意図している。信号の起源は、信号を受信するレシーバの既知の位置、対象の履歴的な記録位置、信号を受信するレシーバの特性（即ち範囲）、受信される信号の強度、信号のタイプ、及び信号が繰り返されたかどうかを含むがこれらに限定されない幾つかの要因に基づいて計算される。当業者ならば、本発明の教示に矛盾しないその他の位置決定の方法を決定することができるであろう。位置は、位置決定モジュールによって決定される。対象の位置が決定されたら、位置決定モジュールは、位置を特定された対象がその他の対象又は場所の近くにある時間の長さに基づいて、位置を特定された対象とその他の対象又は場所との間の関連付けを決定することができる。関連付けが決定されたら、関連付けは、処理されてよい、又は関連付けの持続時間とともに格納されてよい。特定された関連付けは、次いで、例えば、特定された関連付けに基づいて、支払い請求システム、在庫システム、資産管理システム、及び自動事象生成システムにおいて使用されるなどのように、ネットワークとのインターフェースを持つその他のアプリケーションによって数々の方式で活用されてよい。
【００１３】
本明細書において使用される対象という用語は、本発明の対象識別要素に使用する又は関連付けることができる、任意の大きさ、形状、若しくは寸法のポータブル若しくは非ポータブルな任意のアイテム若しくは物、又は人、又は実体、又は哺乳類若しくは非哺乳類を含むことを意図している。
【００１４】
本明細書において使用されるネットワークという用語は、ローカルエリアネットワーク（ＬＡＮ）、広域ネットワーク（ＷＡＮ）、都市規模ネットワーク、イントラネット、インターネット、衛星ネットワーク、又は幾つかのその他のタイプのネットワークを含むがこれらに限定されないことを意図している。通信は、標準電話回線、ＬＡＮリンク若しくはＷＡＮリンク（例えば８０２．１１、Ｔ１、Ｔ３、５６ｋｂ、Ｘ．２５）、ブロードバンド接続（例えばＩＳＤＮ、Ｆｒａｍｅ  Ｒｅｌａｙ、ＡＴＭ）、又はＢｌｕｅｔｏｏｔｈセルラ若しくはＧＳＭなどの無線接続、又は上記の任意若しくは全部の幾つかの組み合わせを含むがこれらに限定されない様々な接続を通じて、ネットワークとの間に確立されてよい。ネットワークとインターフェースを取るために、ネットワークインターフェースが提供されてよい。ネットワークインターフェースは、ＦｉｒｅＷｉｒｅインターフェース、ＦｌｅｘＲａｙインターフェース、ＲＳ−２３２インターフェースであってよく、内蔵式ネットワークアダプタ、ネットワークインターフェースカード、ＰＣＭＣＩＡネットワークカード、カードバスネットワークアダプタ、無線ネットワークアダプタ、ＵＳＢネットワークアダプタ、モデム、又は任意のその他の適切なデバイスを含んでよい。
【００１５】
図１は、本発明の例示的実施形態を実施するのに適した位置特定システム１１１の一実施形態を示している。対象にリンクされた複数の対象識別要素１０２は、ネットワーク接続要素１０６に送信される信号を生成するために使用される１つ又は２つ以上のトランスミッタを含む。１つ又は２つ以上のトランスミッタは、無線周波数（ＲＦ）トランスミッタ、赤外線（ＩＲ）トランスミッタ、超音波（ＵＳ）トランスミッタ、トランシーバ、又はこれらの任意の組み合わせを含んでよい。図１の例において、対象識別要素１０２は、ＩＲトランスミッタ１０３及びＲＦトランスミッタ１０４のうちの、１つ又は２つ以上を含む。伝送される信号は、対象識別要素をそして拡張によってそのリンク先の対象を識別する一意識別子を含んでよい。ネットワーク接続要素１０６は、１つ又は２つ以上の伝送コンポーネントと、１つ又は２つ以上の受信コンポーネントとを含んでよい。１つ又は２つ以上の伝送コンポーネントは、無線周波数（ＲＦ）トランスミッタ、赤外線（ＩＲ）トランスミッタ、超音波（ＵＳ）トランスミッタ、トランシーバ、又はこれらの任意の組み合わせのうちの、１つ又は２つ以上を含んでよい。１つ又は２つ以上の受信コンポーネントは、無線周波数（ＲＦ）レシーバ、赤外線（ＩＲ）レシーバ、超音波（ＵＳ）レシーバ、トランシーバ、又はこれらの任意の組み合わせのうちの、１つ又は２つ以上を含んでよい。図１の例において、ネットワーク接続要素１０６は、ＩＲトランスミッタ１０３、ＲＦトランスミッタ１０４、ＩＲレシーバ１０７、及びＲＦレシーバ１０８のうちの、１つ又は２つ以上を含む。ＩＲレシーバ１０７は、対象識別要素１０２によって生成されるＩＲ信号を受信することができる。ＲＦレシーバ１０８は、対象識別要素１０２によって生成されるＲＦ信号を受信することができる。
【００１６】
ネットワーク接続要素１０６は、ネットワークインターフェースを通じてネットワーク１１０とインターフェースを取り、対象識別要素１０２から受信される信号を、やはりネットワーク１１０とインターフェースを取っている電子デバイス１１２に転送する。ネットワーク接続要素１０６とネットワーク１１０との間のインターフェースは、有線ネットワークの場合は物理インターフェースであってよく、無線ネットワークの場合は無線インターフェースであってよい。対象識別要素１０２及びネットワーク接続要素１０６は、ＩＲトランスミッタ１０３、ＲＦトランスミッタ１０４、ＩＲレシーバ１０７、及びＲＦレシーバ１０８を含むものとして説明されているが、当業者ならば、本発明の範囲から逸脱することなくその他の構成及びレシーバとトランスミッタとのその他の組み合わせが可能であることがわかるであろう。
【００１７】
電子デバイス１１２は、ワークステーション、デスクトップ型コンピュータ、サーバ、ウェブサーバ、ラップトップ型コンピュータ、ハンドヘルドデバイス、センサ、アクチュエータ、又はネットワークとの無線通信若しくは有線通信が可能で且つ本明細書において説明される動作を実施するのに十分なプロセッサ電力及びメモリ容量を有するその他の形態のコンピューティングデバイス若しくは電気通信デバイスなどの、任意の電子システム又はコンピュータシステムを含んでよい。電子デバイス１１２は、対象識別要素１０２の及び対象識別要素をリンクされた対応する対象の位置を特定するために使用される位置決定モジュール１１４を含む。
【００１８】
位置決定モジュール１１４は、本発明の一実施形態にしたがうと、対象に関する位置情報を決定又は導出するための、対象及び／又は場所が互いに相互作用する時間を追跡するための、並びに対象及び／又は場所の間の関連付けを形成するための、任意の適切なソフトウェア及びハードウェアを含む。
【００１９】
本明細書に例示される位置決定モジュール１１４は、対象位置特定モジュール１１５と、対象関連付けモジュール１１６とを含む。対象位置特定モジュール１１５は、対象識別要素１０２によって提供される、対象を識別するデータに少なくとも部分的に基づいて、対象識別要素の及び対象識別要素にリンクされた対象の位置を決定するように構成される。
【００２０】
位置決定モジュール１１４の対象位置特定モジュール１１５は、やはりネットワーク１１０とインターフェースを取っているトポロジストレージデバイス１１７から読み込まれる、信号を受信するレシーバの既知の位置、対象の履歴的な記録位置、やはりネットワークとインターフェースを取っているストレージデバイス１１８から読み込まれる、信号を受信するレシーバの特性（即ち範囲）、受信される信号の強度、信号のタイプ、及び信号が繰り返されたかどうか（ネットワーク接続要素１０６から受信される信号に含まれる情報を解析することによって決定される）を含むがこれらに限定されない１つ又は２つ以上の要因を使用して、信号の起源を計算する。要因のリストは、限定的であることを意図しておらず、以下に明記されるその他の既知の要因又は方法を含むことができる。対象位置特定モジュール１１５によって用いることができる位置決定のための適切なシステム及び／又は方法は、本出願の譲受人に譲渡され且つ参照により本明細書に内容を組み込まれる米国特許公開第２００２／０１９８９８６号並びに米国特許第７，０５３，８３１号及び第７，０９９，８９５号に説明されている。本発明において用いることができるその他の適切な位置決定のシステム及び／又は方法は、アクティブＲＦＩＤシステム及びパッシブＲＦＩＤシステム、バーコードシステム、磁気カード、固定式のビーコンタイプのシステム、三角測量システム、到着時間システム及び微分到着時間システム、並びにデッドレコニングシステムを含む。
【００２１】
位置決定モジュール１１４は、対象関連付けモジュール１１６も含み、これは、本発明の一実施形態にしたがうと、対象位置特定モジュール１１５と通信する。対象関連付けモジュール１１６は、対象位置特定モジュール１１５から受信される対象の位置に基づいて、対象が閾時間以上の期間にわたって別の対象又は場所の近くにあるかどうかを決定するように構成される。もし対象が第２の対象又は場所の近くにある期間が閾時間以上である場合は、対象関連付けモジュール１１６は、対象と第２の対象又は場所との間に関連付けを作成するように構成される。
【００２２】
位置決定モジュール１１４は、ソフトウェアコンポーネントとして実装されるのが普通であるが、配線によるデバイスへの組み込みによって実装することも可能である。
【００２３】
対象識別要素は、任意の適切な留め付け又は結び付けのメカニズムによって直接的に又は間接的に対象にリンクされてよい。例えば、対象識別要素１０２は、それを医療用の腕輪として装着している人に直接的にリンクされてよい。或いは、対象識別要素１０２は、衣服に留め付けられた名札に埋め込まれるなどによって、間接的にリンクされてよい。対象識別要素１０２は、リンク先の対象とともに移動している限り、対象の位置を識別することができる。位置決定モジュール１１４は、対象識別要素の現在の位置を計算するために、一意識別子を使用する。対象識別要素１０２の位置の計算又は決定がなされたら、対象の位置は、それが対象の関連付けを表わしているかどうか、又はより具体的にはその他の対象又は場所に関連付けることができるかどうかを見るために、解析することができる。次に、計算された対象識別要素１０２の位置を解析するプロセスは、以下において、より詳しく説明される。識別された関連付けは、どれも、ストレージデバイス１１８に格納することができる。
【００２４】
トポロジストレージデバイス１１７も、やはり、ネットワーク１１０とインターフェースを取っている。トポロジストレージデバイス１１７は、対象識別要素１０２の位置を決定するために位置決定モジュール１１４によって使用されるトポロジデータを格納する。トポロジデータは、位置特定システム１１１が配備されている現場若しくは場所についての間取り、並びに／又は現場に配備することができるネットワーク接続要素１０６及び／若しくは固定位置識別要素１２０の位置などの、任意の適切なタイプのトポロジデータを格納することができる。この情報を使用して、位置決定モジュール１１４は、現場の既知の構造的特徴（例えば階、中庭、廊下、部屋など）との関連において、対象識別要素１０２（並びにネットワーク接続要素１０６及び固定位置識別要素１２０）の位置を決定することができる。
【００２５】
本発明の例示的実施形態の一態様において、位置特定システム内には、固定位置識別要素１２０も存在している。固定位置識別要素１２０は、１つ又は２つ以上のトランスミッタと、１つ又は２つ以上のレシーバとを含んでよい。トランスミッタは、１つ又は２つ以上の、ＲＦ、ＩＲ、ＵＳのトランスミッタ、トランシーバ、又はこれらの任意の組み合わせを含んでよい。レシーバは、１つ又は２つ以上の、ＲＦ、ＩＲ、ＵＳのレシーバ、又はこれらの任意の組み合わせを含んでよい。図１に示されるように、固定位置識別要素１２０は、ＩＲトランスミッタ１０３と、ＲＦトランスミッタ１０４と、ＩＲレシーバ１０７と、ＲＦレシーバ１０８とを含むことができる。ＩＲレシーバ１０７は、対象識別要素１０２によって生成されるＩＲ信号を受信することができ、ＲＦレシーバ１０８は、対象識別要素１０２によって生成されるＲＦ信号を受信することができる。固定位置識別要素１２０の位置は、トポロジストレージデバイス１１７に格納される。対象識別要素１０２から信号を受信した後、固定位置識別要素は、自身の識別子（一意又は非一意）を信号に付加し、その信号を、ネットワーク接続要素１０６に伝送する。信号が最終的に位置決定モジュール１１４に達すると、位置決定モジュールは、対象識別要素１０２の位置の決定に役立てるために、固定位置識別要素１２０の特性（位置及び範囲など）を使用することができる。例えば、もし位置決定モジュールが、ともにＲＦ信号を受信した固定位置識別要素１２０及びネットワーク接続要素１０６の両方から通知を受信する場合は、その信号は、両レシーバの範囲内の位置を起源としているとしか考えられない。当業者ならば、本発明の範囲内において多くの代替の実装形態が可能であることがわかるであろう。
【００２６】
図２は、無線自動識別（ＲＦＩＤ）タグ構成を使用してシステム２１１が実装される代替の実施形態を示している。図１と同様に、システム２１１は、対象にリンクされた複数の対象識別要素２０２と、１つ又は２つ以上のネットワーク接続要素２０６と、ネットワーク２１０と、トポロジストレージデバイス２１６及び位置決定モジュール１１４を含む電子デバイス２１２と、１つ又は２つ以上の固定位置識別要素２２０とを含む。この実施形態において、対象識別要素は、ＲＦレシーバ２０３とＲＦトランスミッタ２０４とを含むパッシブＲＦＩＤタグとして構成されるが、対象識別要素は、アクティブＲＦＩＤタグとして構成することも可能である。同様に、ネットワーク接続要素２０６及び固定位置識別要素２２０も、ＲＦレシーバ２０７、２２３と、ＲＦトランスミッタ２０８、２２４とを含む。
【００２７】
動作にあたり、１つ又は２つ以上の対象識別要素２０２は、ネットワーク接続要素２０６又は固定位置識別要素２２０のＲＦトランスミッタ２０８、２２４から送信され対象識別子２０２のＲＦレシーバ２０３によって受信される信号によって問い合わせされる。１つ又は２つ以上の対象識別要素２０２は、パッシブＲＦＩＤタグとして構成されるので、対象識別要素２０２において受信される信号は、対象識別要素２０２に電力を供給する働きをし、対象識別要素２０２は、すると、一意識別子を含む応答信号を生成してＲＦトランスミッタ２０４から伝送する。伝送される応答信号は、次いで、ネットワーク接続要素２０６又は固定位置識別要素２２０のＲＦレシーバ２０７、２２３によって受信されるであろう。ネットワーク接続要素２０６は、ネットワーク２１０とインターフェースを取っており、対象識別要素２０２から受信された信号を、やはりネットワークとインターフェースを取っている電子デバイス２１２に転送する。
【００２８】
図２の例において、電子デバイス２１２は、位置決定モジュール２１４と、ストレージデバイス２１８とを含む。電子デバイス２１２は、位置データのためのストレージデバイス２１８が電子デバイス２１２上に位置していることを除き、図１の電子デバイス１１２とほぼ同様に動作する。適切なストレージデバイス２１８は、デジタル又はアナログのデータを格納することができる任意のデバイス、コンポーネント、又はシステムを含み、ハードドライブ及び光ドライブなどのメモリドライブ、フラッシュドライブ、光媒体（ＣＤ、ＤＶＤなど）、ＥＰＲＯＭ、ＥＥＰＲＯＭ、ＵＳＢドライブ又はＵＳＢストレージエレメント、ＲＡＭ、ＲＯＭ、データベースソフト及びデータベースハード、リムーバブルストレージデバイス及び二次ストレージデバイス、又はその他の適切なストレージ媒体を含んでよいがこれらに限定されない。この実施形態において、ストレージデバイス２１８は、トポロジストレージデバイス２１７又はそれに関連付けられた情報も含む。位置決定モジュール２１４は、対象識別要素２０２の及び対象識別要素をリンクされた対応する対象の位置を特定するために使用される。位置決定モジュール２１４は、図１の位置決定モジュール１１４と同様に動作する。位置決定モジュール２１４は、対象識別要素の現在の位置を計算するために、一意識別子を使用する。位置決定モジュール２１４は、トポロジデータ２１６から読み込まれる、信号を受信するレシーバの既知の位置、対象の履歴的な記録位置、ストレージデバイス１１８から読み込まれる、信号を受信するレシーバの特性（即ち範囲）、受信される信号の強度、信号のタイプ、及びネットワーク接続要素２０６から受信される信号に含まれる情報を解析することによって決定される、信号が繰り返されたかどうかを含む様々な要因を使用して、信号の起源を計算する。対象識別要素２０２の位置の計算又は決定がなされたら、対象の位置は、それが対象の関連付けを表わしているかどうか、又は対象が１つ若しくは２つ以上のその他の対象に関連付けることができるかどうかを見るために、解析することができる。計算された対象識別要素の位置を解析するプロセスは、以下において、より詳しく説明される。識別された関連付けは、どれも、ストレージデバイス２１８に格納することができる。
【００２９】
図２のネットワーク接続要素２０６及び固定位置識別要素２２０は、図１のネットワーク接続要素１０６及び固定位置識別要素１２０と同様に動作する。デバイス２０６、２２０は、ともに、対象識別要素２０２に問い合わせするように、問い合わせ信号に応答して対象識別要素２０２から送信される応答信号を受信するように、及び一意識別を含む情報を受信信号から位置決定モジュール２１４に引き渡すように構成される。固定位置識別子２２０及びネットワーク接続要素２０６は、受信信号内に存在する情報に情報を追加することもできる。信号が最終的に位置決定モジュール２１４に達すると、位置決定モジュール２１４は、対象識別要素２０２の位置の特定に役立てるために、固定位置識別要素２２０及びネットワーク接続要素２０６によって加えられた情報を使用することができる。
【００３０】
ネットワーク化されていない形態の例示的実施形態も、実装可能である。図３は、ネットワークの使用に依存することなく対象の関連付けを決定するのに適した位置特定システム３１１のブロック図を示している。システム３１１は、対象にリンクされた対象識別要素３０２と、位置決定モジュール３１４とを含む。
【００３１】
対象識別要素３０２は、対象を識別するデータを決定モジュール３１４に提供する。対象識別要素３０２は、識別データを含む信号を、信号を伝送するための伝送コンポーネントを使用して伝送することができる。伝送コンポーネントは、トランスミッタ、トランシーバ、トランスポンダ、又は類似のデバイスであってよい。その他の実施形態において、対象を識別するデータは、ＲＦＩＤ、バーコーディング、又は磁気エンコーディングなどの、識別データを取得するためにリーダを必要とするパッシブ技術によって提供されてよい。
【００３２】
本明細書に例示される位置決定モジュールは、上記のように、対象位置特定モジュール３１５と、対象関連付けモジュール３１６とを含む。対象位置特定モジュール３１５は、対象識別要素３０２によって提供される、対象を識別するデータに少なくとも部分的に基づいて、対象識別要素の位置を決定するように構成される。対象関連付けモジュール３１６は、対象位置特定モジュール３１５によって決定される対象の位置に基づいて、対象が閾時間以上の期間にわたって第２の対象又は場所の近くにあるかどうかを決定するように構成される。もし対象が第２の対象又は場所の近くにある期間が閾時間以上である場合は、対象関連付けモジュール３１６は、対象と第２の対象又は場所との間に関連付けを作成するように構成される。
【００３３】
対象位置特定モジュール３１５と対象関連付けモジュール３１６とを含む位置決定モジュール３１４は、位置を決定するのに、時間の追跡を維持するのに、及び関連付けを形成するのに適した任意の構造を含むことができる。例として、１つ又は２つ以上の対象識別要素の位置を決定する、時間の追跡を維持する、並びに近さ及び時間に基づいて関連付けを形成することができる任意のデバイスが挙げられる。本発明の各種の実施形態にしたがうと、位置決定モジュール３１４は、電子デバイスであってよい。電子デバイスは、複数の形態をとってよく、プロセッサ、コンピュータ、個人用携帯情報端末、携帯電話などの通信デバイス、ネットアプライアンス、ウェブサーバ、ネットワーク、情報を操作することができる任意のデバイス、レシーバ、トランスミッタ、インターフェース、又はこれらのデバイスの任意の組み合わせを含んでよい。更に、当業者ならば、位置決定モジュール３１４が、位置特定システム３１１の異なるパーツに組み入れ可能であることがわかるであろう。例えば、位置決定モジュールは、ネットワーク接続要素、固定位置識別要素、対象識別要素の一部を形成することができる、又はその他のシステムコンポーネントとは別個である及び／若しくはその他のシステムコンポーネントの遠くに位置していることが可能である。
【００３４】
本発明の各種の実施形態にしたがうと、位置決定モジュール３１４は、情報を求める要求を受信する、情報を提供する、情報を格納する、位置情報に応答して行動を指示する、対象をその他の対象に又は位置に関連付ける、位置情報の使用可能性に関するプライバシー条件を確立する、各種のネットワークタイプと直接的にインターフェースを取るなどの、更なる機能を実施することが可能であってよい。本発明の更なる実施形態にしたがうと、位置決定モジュール３１４は、分散された複数のレシーバ又はリーダを含み、それらのなかには、ネットワークに接続されるものも、接続されないものもあってよい。本発明の各種の実施形態にしたがうと、対象識別要素３０２及び位置決定モジュール３１４は、位置の決定のためにＲＦ信号を用いる。
【００３５】
当業者ならば、本明細書に例示及び図示されるトランスミッタ及びレシーバの代わりに、信号の送受信が可能な異なるタイプのコンポーネントが使用されてよいことがわかるであろう。例えば、レシーバは、本発明の範囲から逸脱することなくトランシーバに置き換えられてよい。
【００３６】
図４Ａは、例えば図１において使用されるものと同様の対象識別要素１０２のブロック図を示している。図に示されるように、対象識別要素１０２は、ＩＲトランスミッタ１０３と、ＲＦトランスミッタ１０４とを含む。トランスミッタは、ともに、シグナリングプロセスを制御する組み込みプロセッサ１０５によって制御される。同様に、図４Ｂは、例えば図１において使用される固定位置識別要素１２０のブロック図を示している。固定位置識別要素１２０は、シグナリングプロセスを制御する組み込みプロセッサ１０５によって制御されるＩＲトランスミッタ１０３とＲＦトランスミッタ１０４とを含む。固定位置識別要素１２０には、対象識別要素１０２からの信号を受信するために使用されるＩＲレシーバ１０７及びＲＦレシーバ１０９も含まれる。
【００３７】
シグナリングプロセスは、ＲＦ信号及びＩＲ信号の両方を、交互する形で併用することができる。本発明の一実施形態にしたがうと、ＲＦ信号は１０秒ごとに伝送され、ＩＲ信号は２０秒ごとに伝送される。この方法は、実質的に一貫したＩＲ電力レベルを提供する一方で、ＲＦ電力レベルを変動させる。ＲＦ電力レベルの変動は、ネットワーク接続要素１０６が一部のＲＦ信号のみを受信することを可能にすることによって、対象識別要素１０２の位置の決定を助けることができる。伝送される信号は、伝送される信号強度、伝送と伝送との間の期間、伝送の時間の長さ、対象識別要素１０２のための一意識別子、１つ若しくは２つ以上の入力デバイスから受信される情報、及び／又は対象識別要素のコンポーネントに関係するなどの各種の状態情報などの、追加情報を含んでもよい。本発明の一態様において、対象識別要素１０２は、レシーバも含んでおり、位置決定モジュール１１４は、伝送パラメータ（即ち３０秒ごとの交互信号）を送信することによって、ネットワーク１１０を通じて対象識別要素を設定する。ＩＲ信号は視程信号であり、ＲＦ信号は壁を突き抜けるので、これらの信号の組み合わせは、いずれか一方のシグナリング形態のみの使用によって可能であると考えられるよりも更に正確に信号の位置を特定するために、本発明の例示的実施形態において用いられてよい。
【００３８】
図４Ｃは、図２に示された代替の実施形態において使用される対象識別要素２０２のブロック図を示している。したがって、対象識別要素２０２は、ＲＦレシーバ２０３と、ＲＦトランスミッタ２０４とを含む。レシーバ２０３及びトランスミッタ２０４は、ともに、シグナリングプロセスを制御する組み込みプロセッサ２０５によって制御される。同様に、図４Ｄは、図２に示された代替の実施形態によって使用される固定位置識別要素２２０のブロック図を示している。固定位置識別要素２２０は、シグナリングプロセスを制御する組み込みプロセッサ２２５によって制御されるＲＦレシーバ２２３とＲＦトランスミッタ２２４とを含む。
【００３９】
図２に関連して上述されたように、対象識別要素２０２は、パッシブＲＦＩＤタグとして構成される。このように、対象識別要素のＲＦトランスミッタ２０４及び組み込みプロセッサ２０５は、固定位置識別要素２２０のＲＦトランスミッタ２２４からのＲＦ信号によって提供される電力に依存する。動作にあたり、固定位置識別要素２２０の組み込みプロセッサは、問い合わせ信号を送信するようにＲＦトランスミッタ２２４に指示する。問い合わせ信号は、対象識別要素２０２のＲＦレシーバ２０３によって受信され、組み込みプロセッサ２０５及びＲＦトランスミッタ２０４を活動させる。組み込みプロセッサ２０５は、問い合わせ信号を解釈し、一意識別子を提供する応答信号を伝送するようにＲＦトランスミッタ２０３に指示する。応答信号は、固定位置識別要素２２０のＲＦレシーバ２２３において受信され、組み込みプロセッサによって処理される。組み込みプロセッサ２２５は、次いで、応答信号の情報に追加情報を付加し、追加情報と応答信号からの情報とを含む信号を伝送するようにＲＦトランスミッタ２２４に指示する。
【００４０】
このようなパッシブＲＦＩＤ設計の利点は、対象識別要素２０２上に電源を必要としないことにある。これは、対象識別要素２０２の構築コストも抑える。当業者ならば、対象識別要素が必要に応じてアクティブＲＦＩＤタグとしても構成可能であることがわかるであろう。
【００４１】
図５は、本発明の例示的実施形態を使用する病院の配置のブロック図を示している。病院の配置は、トポロジストレージデバイス１１７に予め格納することができる。病院５００は、やはり場所であると見なすことができる複数の部屋５０２、５０４、５０６、５０８、５１０、及び５１２を含む。各部屋５０２、５０４、５０６、５０８、５１０、及び５１２は、室内に固定位置識別要素（ＦＬＩ）５２０を有する。廊下５０１は、更なる固定位置識別要素５２０を廊下の端に、そして１対のネットワーク接続要素（ＮＣＥ）５３０を廊下の真ん中及び廊下の端に有する。固定位置識別要素５２０及びネットワーク接続要素５３０は、図１及び図２のもののような、上述された実装形態のうちの任意であってよい、又はその他の任意の数の実装形態であってよい。上記のように、ネットワーク接続要素５３０を接続されたネットワークは、有線ネットワーク又は無線ネットワークであってよく、その結果、ネットワーク接続要素５３０は、ネットワークに物理的に接続されている場合又は接続されていない場合がある。本発明の例示的実施形態は、既存のネットワークを通じて実行されるように設計されており、専用のプロプライエタリネットワークの作成は不要である。病院は、対象識別要素（ＯＩ）５４０をリンクされた複数の対象を含む。ある部屋５０２は、患者カルテ５５０を含み、そのカルテには、置き間違えがないように且つ素早い読み込みが可能であるように対象識別要素５４０が取り付けられている。別の部屋５０４は、衣服に又は腕輪として対象識別要素５４０を装着している患者５６０を含む。患者５６０に取り付けられた対象識別要素５４０は、病院全体において患者の動きを追跡することを可能にする。廊下５０１に出ると、点滴ポンプ５７０に対象識別要素５４０がリンクされている。対象識別要素５４０は、ポンプを割り当てられた病院の科で働いている適切な人に通知する時間がないままに病院の別の科が緊急でポンプを借りる場合に、点滴ポンプ５７０の位置を素早く特定することを可能にする。対象識別要素５４０は、図１及び図２のもののような、上述された実装形態のうちの任意であってよい、又はその他の任意の数の実装形態であってよい。
【００４２】
ネットワーク接続要素５３０及び固定位置識別要素５２０の使用が、例を挙げて説明される。注入ポンプ５７０にリンクされた対象識別要素５４０は、一意識別子を持つ１つ又は２つ以上の信号を発するように構成することができる。もし点滴ポンプ５７０が廊下５０１に位置する場合は、対象識別要素によって伝送されるＲＦ信号は、幾つかの部屋５０４、５０６、５１０、及び５１２の中にある固定位置識別要素５２０内に位置するレシーバ、並びにポンプに最も近い廊下の端にある固定位置識別要素５２０内に位置するレシーバによって受信される。また、信号は、部屋５０４の外に位置するネットワーク接続要素５３０によっても受信されるであろう。ＩＲ信号は、視程信号であるので、もし点滴ポンプ５７０にリンクされた対象識別要素５４０がＩＲ信号も伝送する場合は、その信号は、廊下５０１の端に位置する固定位置識別要素５２０及び部屋５０４の外に位置するネットワーク接続要素５３０によってのみ受信される。視程信号は、ほとんどの壁を突き抜けないので、病室５０２、５０４、５０６、５０８、５１０、及び５１２のどれかの中に位置するＲＦレシーバによって受信されるとは考えにくい。部屋５０４の外に位置するネットワーク接続要素５３０及び廊下５０１の端に位置する固定位置識別要素５２０は、両信号の受信を位置決定モジュール（不図示）に報告する。位置決定モジュールは、位置を決定するために、部屋５０４の外に位置するネットワーク接続要素５３０及び廊下５０１の端に位置する固定位置識別要素５２０の両者の既知の位置を使用する。もしネットワーク接続要素５３０及び固定位置識別要素５２０が、ともに、両タイプの信号を受信した場合は、点滴ポンプ５７０は、廊下５１０にあるはずだと決定することができる。更に、固定位置識別要素５２０は、ネットワーク接続要素５３０よりもＲＦ信号の受信範囲が狭いと考えられるので、点滴ポンプ５７０は、廊下内であるのみならず、固定位置識別要素５２０上のＲＦレシーバの範囲内に位置すると決定することができる。或いは、レシーバに対する近さを決定するために、信号強度を使用することができる。ＲＦレシーバの受信範囲及びＲＦトランスミッタの伝送強度は、実装上の選択肢であり、当業者ならば、それらが本発明の範囲から逸脱することなく調整可能であることがわかるであろう。
【００４３】
位置決定モジュールが、対象識別要素５４０をリンクされた対象の現在の位置又は場所を決定したら、その位置は、位置を特定された対象の、その他の対象又は場所に対する近さを決定するために、その他の対象又は場所の現在の位置と比較される。事前に決定されたこの位置は、通常は、特に関心を持たれるベッドなどの個所である。場所は、例えば病院環境では部屋である。もし対象が別の対象又は場所から規定距離の範囲内にある場合は、位置決定モジュールは、２つの対象どうしが又は対象と場所とが相互作用していると決定し、ストレージデバイスにおいて関連付けを記録する。当業者ならば、１つの対象又は場所の、別の対象又は場所に対する近さ即ち距離関係が、ユーザの要求又はニーズに基づいて可変であることが容易にわかるであろう。適切な近さ即ち距離は、予め選択する若しくは事前に決定することができる、又はリアルタイムで導出、計算、若しくは決定することができる。当業者ならば、対象のタイプ、対象の状態、場所、以前の相互作用又は関連付け、システムが使用される環境、及び／又はユーザの要求若しくは指定を含む１つ又は２つ以上の要因に基づいて、適切な近さを容易に決定することができるであろう。
【００４４】
位置決定モジュールは、関連付けが生じていると判定する前に、最短期間即ち閾期間にわたって関連付けが生じていることを要求するであろう。これは、偽りの関連付けを回避するのに有用である。閾期間は、予め選択され又は事前に決定され、システム１１１に格納することができる。閾時間は、ユーザ入力、システム仕様、対象のタイプ、対象の状態、場所、以前の相互作用若しくは関連付け、システムが使用される環境、ユーザの要求若しくは指定などを含むがこれらに限定されない１つ又は２つ以上の要因に基づいて、計算、導出、又はその他の形で確立することができる。更に、閾時間は、上記のパラメータのうちの１つ又は２つ以上に基づいて、リアルタイムで計算又は決定することもできる。当業者ならば、関連付けを決定するために使用される閾時間の値が、前述のパラメータのうちの１つ又は２つ以上のパラメータの関数として可変であることもわかるであろう。例えば、医師、看護師、又は清掃スタッフなどの職員は、かかる時間の異なる様々な方式で、異なる対象及び／又は場所と相互作用することができるであろう。例えば、看護師は、医師よりもずっと迅速に患者と相互作用することができるであろう。したがって、看護師を患者に関連付けるための閾時間は、同じ患者に医師を関連付けるための閾時間よりも短くてよい。
【００４５】
更に、上記のように、医師は、ある患者のすぐ近くを、別の患者を治療する途中で通過する可能性がある。もし関連付けの基準が近さのみに基づく場合は、このような近くの通過は、たとえ医師が患者と実際の相互作用を持たなかった場合でも、医師と患者との間の関連付けとして決定される恐れがある。したがって、閾値は、追跡されている対象が関連付けを確立される前に別の対象又は場所の近くにある必要がある最短時間限度即ち閾時間限度として設定することができる。もし閾値が満たされない場合は、関連付けは確立されない。
【００４６】
別の例において、医師は、部屋などの第１の場所におり、その第１の場所は、別の部屋などの第２の場所にすぐ隣接していることがある。もし医師が、第２の部屋に隣接する第１の部屋の壁を背にして立っている場合は、計算された医師の位置は、たとえ医師が実際に部屋を変わったことがなくても、医師が突然第２の部屋に移り、次いで第１の部屋に戻ったことを示す可能性がある。もし医師が第２の部屋にいるものとして示された時間が、医師が物理的に他の部屋に移動するために実際にかかると考えられる時間よりも短い場合は、この場所の変化は、実際の変化でないと見なすことができる。
【００４７】
例えば、医師の位置を図表で表わすと、次のように見えるであろう。
【００４８】
【表１】
0005635416.tif 000002
【００４９】
ここで、「Ｌ１」は、例えば第１の部屋に対応する第１の場所であり、「Ｌ２」は、例えば第２の部屋に対応する第２の場所である。「ｔL1」は、医師が第１の部屋の中で過ごす時間の長さに対応し、「ｔL2」は、医師が第２の部屋の中で過ごす時間の長さに対応する。ここでは、医師は、第１の部屋から第２の部屋に移動して第１の部屋に戻るものとして示されている。
【００５０】
もし時間「ｔL1」が閾時間以上で且つ時間「ｔL2」が閾時間未満である場合は、第１の部屋との関連付けのみが確立される。上述のように、閾時間は、追跡されている対象のタイプ及びそれが関連付けられる場所に依存してよい。例えば、看護師は、医師よりも迅速に部屋間を移動すると考えられるので、看護師に関連付けられる閾時間は、より短くてよい。第２の部屋「Ｌ２」は、第１の部屋「Ｌ１」から遠く離れていることもあり、この場合は、長い移動時間が必要とされ、閾時間は長くなるであろう。例えば、もし「ｔL2」が、第１の部屋「Ｌ１」から第２の部屋「Ｌ２」まで移動して第１の部屋「Ｌ１」に戻るためにかかる時間よりも短い場合は、医師を第２の部屋「Ｌ２」にいたとする表示をシステムによって偽りの決定と見なすことができる。
【００５１】
関連付けは、開始時間、終了時間、持続時間、及び個々の発生を交互に追跡され、それらは全て、ストレージデバイスに格納されてよい。電子デバイスは、位置決定モジュールによって決定される対象の関連付けを活用するために、様々なソフトウェアプログラムを格納する、又は様々なソフトウェアプログラムとインターフェースを取る。
【００５２】
図６は、位置決定モジュール６１４によって決定される関連付けを解析するために使用される実施形態のコンポーネントのブロック図６００を示している。電子デバイスは、図１及び図２に示された電子デバイスと、多くの点において同様である。位置決定モジュール６１４は、対象の関連付けを決定し、これらの関連付けの記録をストレージデバイス６１８に記録する。対象の関連付けの解析には、位置決定モジュール６１４にアクセス可能な様々なソフトウェアコンポーネント又はモジュールを使用することができる。電子デバイス６１２上には、機器利用ソフトウェア６１５、資産管理ソフトウェア６１６、及び事象開始ソフトウェア６１７が格納されている。支払い請求ソフトウェア６２０は、ネットワーク６１０とインターフェースを取っている。位置決定モジュール６１４によって決定される対象の関連付けの解析に使用される様々なタイプのソフトウェアの例が、以下において、更に詳しく取り上げられる。ソフトウェアは、位置決定モジュール６１４内に位置するＪＤＢＣインターフェースを用いてよく、これは、Ｊａｖａ（登録商標）アプリケーションがストレージデバイス６１８上のデータベースにＳＱＬコマンドを送信することを可能にする。当業者ならば、対象の関連付けを入力データとして用いる各種のソフトウェアコンポーネントの位置及びタイプが、本発明の範囲から逸脱することなく可変であることがわかるであろう。当業者ならば、対象の関連付けの決定及び／又は格納が、例示されたシステム内のその他の位置において発生可能であることもわかるであろう。
【００５３】
位置決定モジュール６１４によって対象の関連付けが決定されると、関連付けデータは、入力データとして様々なソフトウェアプログラムに提供することができる。図７は、対象の関連付けを決定しそれらを機器利用ソフトウェアモジュール６１５及び支払い請求ソフトウェアモジュール６２０において用いるために本発明の例示的実施形態によって実施されるステップの順序のフローチャート７００である。対象にリンクされた対象識別要素１０２、２０２、３０２、５４０は、ネットワーク接続要素１０６、２０６、５３０に信号をブロードキャストする（ステップ７１０）。図２に示されたような特定の実施形態においては、対象識別要素２０２は、ネットワーク接続要素２０６又は固定位置識別要素１２０、２２０、５２０から送信された信号に応答して信号を伝送してよい。信号は、固定位置識別要素１２０、２２０、５２０からネットワーク接続要素１０６、２０６、５３０に転送されてよい。ネットワーク接続要素１０６、２０６、５３０は、タイムスタンプ及びその識別子などの情報を信号に付加し、その信号を、電子デバイス１１２、１２１及び位置決定モジュール１１４、２１４、３１４に送信する（ステップ７２０）。位置決定モジュール１１４、２１４、３１４は、概説されたように対象の位置を計算し、位置を特定された対象を別の対象及び／又は場所に関連付け、その関連付け及びその関連付けが開始した時間をストレージデバイス１１８、２１８、６１８に記録する（ステップ７３０）。ネットワーク接続要素１０６、２０６、５３０は、対象識別要素１０２、２０２、３０２、５４０から及び／又は固定位置識別要素１２０、２２０、５２０から受信される信号を、関連付けが終わるまで送信する（ステップ７４０）。ネットワーク接続要素１０６、２０６、５３０が信号の送信を停止すると、位置決定モジュール１１４、２１４、３１４、６１４は、ストレージデバイス１１８、２１８、６１８において対象の関連付けを解除し、その関連付けが終了した時間を記録する（ステップ７５０）。ストレージデバイス１１８、２１８、６１８は、関連付けの記録を格納し、それらの記録は、次いで、機器利用ソフトウェア６１５又は支払い請求ソフトウェア６２０によって読み込まれてよい（ステップ７６０）。機器利用ソフトウェア６１５は、病院の特定の科においてポータブルＸ線装置がどれくらいの頻度で使用されるかを解析するために、データを使用してよい。或いは、対象関連付けデータは、部屋がどれくらいの頻度で用いられるかを示してよい。同様に、支払い請求ソフトウェア６２０は、外科医が手術室においてどれくらいの時間を過ごしたかを決定し、患者に対する支払い請求額を決定するために、対象関連付けデータを使用してよい。
【００５４】
本発明の例示的実施形態は、対象関連付けデータを数々の方式で活用することができる。一実施形態において、決定された対象の関連付けは、医療施設において感染病患者の動きを追跡するために使用される。個々の移動経路を示す計算された位置をマッピングすることによって、医療施設は、どの患者が感染に曝された可能性があるかに基づく応答を作成することができる。別の実施形態において、対象識別要素は、処方薬にリンクされてよい。例えば、対象識別要素にリンクされた静注薬の袋が患者との間に関連付けを形成するときは、その患者に既に投与されているその他の薬及び／又はアレルギーを示す患者個人の病歴に基づいて拒否反応を阻止するために、ストレージデバイスが調べられてよい。別の実施形態においては、対象の関連付けは、患者の記録に対するアクセスの制限を求めるＨＩＰＡＡ（Ｈｅａｌｔｈ  Ｉｎｓｕｒａｎｃｅ  Ｐｒｉｖａｃｙ  ａｎｄ  Ｐｏｒｔａｂｉｌｉｔｙ  Ａｃｔ：医療保険のプライバシーと携行に関する法律）の順守を保証するために使用されてよい。対象識別要素１０２、２０２、３０２、５４０をスタッフ及び患者のカルテにリンクさせることによって、誰がカルテを閲覧したかを示す記録が作成されてよい。
【００５５】
ストレージデバイス６１８に格納された対象関連付けデータは、事象開始に使用することもできる。図８は、対象の関連付けを決定しそれらを図６の事象開始ソフトウェアモジュール６１７において用いるために本発明の例示的実施形態によって実施される順序立てられたステップのフローチャート８００である。順序は、対象にリンクされた対象識別要素１０２、２０２、３０２、５４０がネットワーク接続要素１０６、２０６、５３０に信号をブロードキャストするときに始まる（ステップ８１０）。図２に示されたような特定の実施形態においては、対象識別要素２０２は、ネットワーク接続要素２０６又は固定位置識別要素１２０、２２０、５２０から送信された信号に応答して信号を伝送してよい。信号は、固定位置識別要素１２０、２２０、５２０からネットワーク接続要素１０６、２０６、５３０に転送されてよい。ネットワーク接続要素１０６、２０６、５３０は、タイムスタンプ及びその識別子を信号に付加し、その信号を、電子デバイス１１２、１２１及び位置決定モジュール１１４、２１４、３１４、６１４に送信する（ステップ８２０）。位置決定モジュール１１４、２１４、３１４、６１４は、概説されたように対象の位置を計算し、位置を特定された対象を別の対象又は場所に関連付け、その関連付けをストレージデバイスに記録する（ステップ８３０）。関連付けは、次いで、事象開始ソフトウェア６１７によって、関連付けのテンプレートとプログラムによって比較されてよい（ステップ８４０）。例えば、事象開始ソフトウェア６１７は、もし病院の患者の対象識別要素が廊下に関連付けられる場合に、適切な科のナースステーションにおいて警報が鳴るように示すことができる。或いは、事象開始ソフトウェアは、もし企業のＣＥＯの名前バッジに埋め込まれた対象識別要素が通用門に関連付けられた場合に、歓迎がブロードキャストされるように示すことができる。もし関連付けがテンプレート内に挙げられている場合は、その事象のための指示がネットワーク１１０、２１０、６１０にブロードキャストされる（ステップ８５０）。当業者ならば、対象の関連付けを解析するために、テンプレート以外の形態も本発明の範囲から逸脱することなく使用されてよいことがわかるであろう。
【００５６】
本発明の一実施形態において、対象関連付けデータは、資産管理ソフトウェアモジュール６１６によって用いられる。資産管理ソフトウェアモジュール６１６は、企業によって所有される資産のリアルタイムな在庫を提供するために使用することができる。品目の位置を迅速に特定する能力は、それが失敗した場合に深刻な結果をもたらす恐れがある医療業界などの業界において、最重要であると考えられる。また、資産位置の定期的な更新は、年末の在庫調査を大幅にコストダウンできるであろう。資産が自身の位置を伝送する頻度は、設定可能であり、品目がどれくらいの頻度で動く傾向があるかに基づくことができる。例えば、あまり頻繁に動かない大型の機器の場合は、トランスミッタは、一時間に一度又は一日に一度、信号を発するように設定されてよい。トランスミッタは、より小型の品目若しくは頻繁に動かされる品目の場合は一分に一度、又は人にリンクされた対象識別要素の場合は１０秒に一度、信号を発するように設定されてよい。リアルタイムな資産の位置は、次いで、ネットワーク１１０、２１０、６１０にブロードキャストされ、関係者個人が使用できるようにされてよい。別の実施形態においては、寝たきりの患者とベッドとの間に関連付けを形成することができる。もし関連付けが停止したことが決定された場合は、患者がベッドから落ちた可能性があることを示すために、ネットワークを通じてナースステーションに警告が送信される。
【００５７】
図９は、図７及び図８のステップ７３０及び８３０において本発明の位置特定システムの位置決定モジュール１１４、２１４、３１４、６１４によって実施されるプロセスのフローチャートである。プロセスは、対象識別要素１０２、２０２、３０２、５４０をリンクされた対象についての位置の決定から始まる（ステップ９１０）。特定の実施形態において、位置の決定（ステップ９１０）は、図１及び図３に関係して説明されたように、位置決定モジュール３１４の対象位置特定モジュール３１５によって実施されてよい。対象の位置が決定されたら（ステップ９１０）、位置情報は、対象が別の対象又は場所の近くにあるかどうかを決定するために使用することができる（ステップ９２０）。もし対象が別の対象又は場所の近くにない場合は、対象の位置は、更に監視される（ステップ９１０）。しかしながら、もし対象が別の対象又は場所の近くにある場合は、対象が他の対象又は場所の近くにある時間が追跡されてよい（ステップ９３０）。もし対象が別の対象又は場所の近くにある時間が閾時間未満である場合は、対象の位置は、更に監視される（ステップ９１０）。しかしながら、もし対象が別の対象又は場所の近くにある時間が閾時間以上である場合は、対象についての関連付けを形成することができる（ステップ９４０）。対象の関連付けは、次いで、図６〜８に関係して論じられたように使用されてよい。
【００５８】
本明細書に挙げられる例の多くは、病院環境を基準にしているが、本発明の例示的実施形態は、様々なその他の環境において対象の関連付けを検出するために使用することができる。例えば、対象の関連付けは、荷物を具体的な目的地に振り分けるように指定された機械に荷物を関連付けられる空港の設定において生じることができる。或いは、対象の関連付けは、飛行機が空港から離陸する前に、預けられた各荷物が着席した乗客に関連付けられていることを確認するために使用することができる。対象の関連付けは、店内の商品の動きを追跡するために使用する、又は支払いレジにおいて用いることができる。対象の関連付けは、広告看板の有効性又はその欠如を識別するために使用することができる。対象関連付けシステムは、既存のネットワークトポロジを用いるコンポーネントを使用して機能するように設計されるので、対象の関連付けは、多くの異なる環境において決定することができ、本明細書に挙げられる環境は、包括的なものではなく単なる例示にすぎないことを意図している。
【００５９】
したがって、本発明は、先の説明に記載された目的を達成することがわかる。本発明の範囲から逸脱することなく特定の変更を加えることが可能であるので、上記の説明に含まれる又は添付の図面に示される全ての事柄は、文字通りの意味ではなく例示的なものと解釈されることを意図している。当業者ならば、図に示されたステップの順序が本発明の範囲から逸脱することなく可変であること、及び本明細書に含まれる例示が本発明として考えられる多数の描写の特異な例であることがわかるであろう。
【図１】
0005635416.tif 000003
【図２】
0005635416.tif 000004
【図３】
0005635416.tif 000005
【図４Ａ】
0005635416.tif 000006
【図４Ｂ】
0005635416.tif 000007
【図４Ｃ】
0005635416.tif 000008
【図４Ｄ】
0005635416.tif 000009
【図５】
0005635416.tif 000010
【図６】
0005635416.tif 000011
【図７】
0005635416.tif 000012
【図８】
0005635416.tif 000013
【図９】
0005635416.tif 000014